(57)【特許請求の範囲】
【請求項１】
タワークレーンを用いて躯体を構築する複層建物の構築方法であって、
水平方向に分割可能な複数の足場ユニットからなる連層足場を前記複層建物の低層部の外周に沿って組立てるステップと、
外装工事の進捗に合わせて前記タワークレーンにより前記連層足場を上方へ移動させるステップと、
前記躯体の構築後、前記タワークレーンを解体するとともに、前記躯体に着脱自在に固定される複数のブラケットと各ブラケットの躯体内側部分に脱着可能に連結される本体部とからなる分割可能な移動式の揚重装置を前記複層建物の屋上に設置するステップと、
前記複層建物の最上層部にて外装工事を終了した後、前記揚重装置により前記足場ユニットを下方へ移動させるステップとを含み、
前記足場ユニットを下方へ移動させるステップでは、前記本体部を前記複数のブラケットのうちの１つに連結して足場ユニットを下方へ移動させる間に、他の足場ユニットを下方へ移動させる準備として、前記複数のブラケットのうち少なくとも他の１つを前記躯体に固定することを特徴とする複層建物の構築方法。
【請求項２】
前記揚重装置により下方へ移動させた前記足場ユニットを、地上に設置した移動式クレーンによって移動させた後に解体するステップを更に含むことを特徴とする、請求項１に記載の複層建物の構築方法。
【請求項３】
複層建物の最上層部における外装工事を終了した後に、水平方向に分割可能な連層足場を構成する複数の足場ユニットを下方へ移動させるべく、前記複層建物の屋上に設置される揚重装置であって、
躯体の外周面からさらに外方へ突出し且つ前記躯体の上面および内面に少なくとも一部が当接する様態で前記躯体に取り付けられ、先端近傍に滑車を有するブラケットと、
前記ブラケットの躯体内側部分に脱着可能に連結される本体部とを備え、
前記本体部は、移動用車輪を有する本体架台と、複数に分割されて前記本体架台に載置されるウェイトと、前記外方へ移動不能に前記本体架台に取り付けられ、前記滑車から垂下させたワイヤを上げ下げするウィンチとを備えたことを特徴とする揚重装置。
【請求項４】
前記ブラケットを前記躯体に着脱自在に固定する固定手段を更に備えたことを特徴とする、請求項３に記載の揚重装置。
【発明の詳細な説明】
【技術分野】
【０００１】
本発明は、タワークレーンを用いて躯体の構築および連層足場の迫り上げを行う複層建物の構築方法およびこれに用いる連層足場用の揚重装置に関する。
【背景技術】
【０００２】
建物を構築する際には、建物の外周を取り囲むように足場を組立て、この足場を利用して建物外周の躯体工事や外装工事などを行う。足場としては、地盤上や基礎構造物上、或いは既に構築した下層階部分の躯体上に設置して躯体に控えをとるものが一般的であるが、建物が高層になる場合には、所定階（例えば５階）層分だけ環状に足場を設け、構築済みの躯体に支持させることで、外装工事の進捗に合わせて迫り上げながら使用できるようにした連層足場（例えば、特許文献１、２参照）が用いられることがある。
【０００３】
ところで、高層建物の構築ではタワークレーンが用いられることが多く、特許文献２の発明では、連層足場の迫り上げ（スライド上昇）をタワークレーンにより行うことができるように、複数の足場ユニットを水平方向に連結して連層足場を構成している。
【先行技術文献】
【特許文献】
【０００４】
【特許文献１】特開平９−１３７６０３号公報
【特許文献２】特開平１１−３４３７２９号公報
【発明の概要】
【発明が解決しようとする課題】
【０００５】
しかしながら、特許文献２に記載されたようなタワークレーンによりスライド上昇される連層足場は、建物最上層部の外装工事を終えて不要になると、解体・撤去のためにスライド上昇時と同様にタワークレーンにより足場ユニットごとに地上へ吊り下ろす必要がある。そのため、タワークレーンの解体時期は、連層足場の解体時期がクリティカルになることが殆どである。また、足場ユニットの重さは通常２ｔ前後であり、大型のタワークレーンを用いる必要性は低い。つまり、現状では、連層足場の吊り下ろしのためにコストが高く不経済な大型タワークレーンを設置し続けていることになり、仮設工事費のコストアップの要因となっている。
【０００６】
ここで、連層足場の盛り替え（迫り上げ）時にタワークレーンを用いることによる工期の長期化やコストの増大を回避するために、ウィンチやガイド部材を一体に設けて自昇式とした連層足場なども提案されているが（特開２００３−２７７４０号公報参照）、外装工事が終了して連層足場を地上へ下ろす際には、上層部にある連層足場を足場ユニットごとにタワークレーンを用いて地上まで下ろす。また、ガイド部材を躯体に設けることで連層足場のスライド上昇および支持を可能にしているため、各足場ユニットの下降に合わせてこれを撤去することも可能であるが、作業に手間がかかる。
【０００７】
本発明はこのような背景に鑑みなされたものであり、早期にタワークレーンを解体して仮設工事費の圧縮を図り、もって建物の建築費を低減するとともに、外装工事の終了後における連層足場の吊り下ろし作業を容易にすることをその主たる目的とする。
【課題を解決するための手段】
【０００８】
上記課題を解決するために、本発明は、タワークレーン（３５）を用いて躯体（２）を構築する複層建物（１）の構築方法であって、水平方向に分割可能な複数の足場ユニット（３１）からなる連層足場（３０）を前記複層建物の低層部の外周に沿って組立てるステップと、外装工事の進捗に合わせて前記タワークレーンにより前記連層足場を上方へ移動させるステップと、前記躯体の構築後、前記タワークレーンを解体するとともに、前記複層建物の屋上（１ａ）に分割可能な移動式の揚重装置（１０）を設置するステップと、前記複層建物の最上層部にて外装工事を終了した後、前記揚重装置により前記足場ユニットを下方へ移動させるステップとを含むものとする。
【０００９】
この発明によれば、連層足場を上方へ移動させる際にはタワークレーンを用いるが、外装工事を終了した後に足場ユニットを下方へ移動させる際にはタワークレーンを用いることなく揚重装置を用いれば済むため、外装工事の終了および連層足場の下方への移動を待つことなくタワークレーンの解体作業を開始することができる。また、外装工事終了後に足場ユニットを下方へ移動させる作業も揚重装置により容易に行うことができる。なお、揚重装置は分割可能な移動式であるため、足場ユニット間の移動が容易であるとともに、分割した部材を本設のエレベータなどで運搬できるため、設置・撤去作業も容易である。
【００１０】
また、本発明の一側面によれば、前記揚重装置により下方へ移動させた前記足場ユニットを、地上に設置した移動式クレーン（３８）によって移動させた後に解体するステップを更に含むようにすることができる。
【００１１】
このようにすれば、足場ユニットの解体作業期間にわたって建物の外周を作業エリアとする必要がないため、建物の入口が閉鎖されて内装作業など他の作業が行えないような状態が継続することを防止できる。また、建物周辺の外溝工事も早期に開始できるため、工程の短縮を図ることがでできる。
【００１２】
また、本発明の一側面によれば、前記揚重装置は、前記躯体に着脱自在に固定される複数のブラケット（１１）と、各ブラケットの躯体内側部分に脱着可能に連結される本体部（１７）とからなり、前記足場ユニットを下方へ移動させるステップでは、前記本体部を前記複数のブラケットのうちの１つに連結して足場ユニットを下方へ移動させる間に、他の足場ユニットを下方へ移動させる準備として、前記複数のブラケットのうち少なくとも他の１つを前記躯体に固定するようにすることができる。
【００１３】
このようにすれば、連層足場の吊り下ろし作業中に、後に下ろす連層足場に対するブラケットの躯体への固定作業を行うことができ、作業時間の短縮を図ることができる。
【００１４】
また、上記課題を解決するために、本発明は、複層建物（１）の最上層部における外装工事を終了した後に、水平方向に分割可能な連層足場（３０）を構成する複数の足場ユニット（３１）を下方へ移動させるべく、前記複層建物の屋上（１ａ）に設置される揚重装置（１０）であって、躯体（２）の外周面からさらに外方へ突出し且つ前記躯体の上面および内面に少なくとも一部が当接する様態で前記躯体に取り付けられ、先端近傍に滑車（１２）を有するブラケット（１１）と、前記ブラケットの躯体内側部分に脱着可能に連結される本体部（１７）とを備え、前記本体部は、移動用車輪（１９）を有する本体架台（１８）と、複数に分割されて前記本体架台に載置されるウェイト（２０）と、前記外方へ移動不能に前記本体架台に取り付けられ、前記滑車から垂下させたワイヤ（２７）を上げ下げするウィンチ（２１）とを備えるように構成する。
【００１５】
この発明によれば、ブラケットと本体部とが脱着可能であり、且つウェイトも分割可能であるため、複層建物に設置した本設のエレベータによる運搬が可能であり、容易に建物屋上に揚重装置を設置・撤去することができる。そのため、連層足場の吊り下ろしを待つことなくタワークレーンの解体作業を開始することができる。また、本体架台が移動用車輪を備えるため、ウェイトを載置した状態でも本体架台の移動が容易であり、複数の足場ユニットを吊り下ろすために複層建物の屋上で揚重装置を盛り替える作業も容易になる。さらに、躯体の形状や複層建物の屋上に設定される配管設備等の位置を考慮して形状の異なる複数のブラケットを用意すれば、揚重装置の設置可能領域が制限されることがなく、様々な建物への適用（転用）も可能である。
【００１６】
また、本発明の一側面によれば、前記ブラケットを前記躯体に着脱自在に固定する固定手段（Ｌ字形部材１３）を更に備えるようにすることができる。
【００１７】
この構成によれば、取り扱いの容易なブラケットを予め躯体に固定し、ウェイトを積んだ本体架台は、ブラケットに連結することで容易に位置決めを行うことができる。また、ブラケットを複数用意すれば、１つの足場ユニットの吊り下ろし作業中に、後に吊り下ろす足場ユニットに対するブラケットの固定作業を行うことができ、作業時間の短縮を図ることができる。一方、ブラケットの形状を異なるものとすれば、複層建物の屋上に設置される機器類の基礎や配管などとの干渉を避けて揚重装置を設置することができる。
【発明の効果】
【００１８】
このように本発明によれば、外装工事の終了後に容易に連層足場を吊り下ろせるようにし、かつ早期にタワークレーンを解体して仮設工事費の圧縮を図り、もって建物の建築費を低減することができる。
【図面の簡単な説明】
【００１９】
【図１】本発明に係る方法により構築中の建物の要部断面図
【図２】本発明に係る方法により構築中の建物の要部平面図
【図３】本発明に係る建物の構築方法の手順を示す説明図
【図４】本発明に係る建物の構築方法の手順を示す説明図
【図５】本発明に係る建物の構築方法の手順を示す説明図
【図６】本発明に係る建物の構築方法の手順を示す説明図
【図７】本発明に係る建物の構築方法の手順を示す説明図
【図８】本発明に係る建物の構築方法の手順を示す説明図
【図９】図７に示す揚重装置の設置状態を示す側面図
【図１０】図７に示す揚重装置の設置状態を示す平面図
【図１１】図９に示すブラケットと異なるブラケットを装着した揚重装置の側面図
【発明を実施するための形態】
【００２０】
以下、本発明に係る複層建物（以下、単に建物１と記す。）の構築方法およびこれに用いる揚重装置１０の実施形態について、図面を参照しながら詳細に説明する。
【００２１】
まず、図１および図２を参照して建物１の構築する際に用いる連層足場３０について説明する。本実施形態では、例えば地上３０階以上の高層建物を構築する際に、建物１の外周を囲む外部足場として、地盤Ｇではなく建物１の躯体２に支持される連層足場３０を用いる。なお、躯体２とは、建具・造作・仕上・設備などを除いた主として強度を受け持つ部分であって、柱や梁、壁（パラペットを含む）、床（庇を含む）などを指す。
【００２２】
連層足場３０は、建物１の３階層分程度の高さとなるように上下方向に並べた複数段の足場（足場板３０ａ）を有し、その荷重を躯体２に伝える（躯体２から反力をとる）ことで建物外部にて宙に浮いた状態で設置される外部吊り足場である。連層足場３０は、４〜５ｍ程度の長さ（躯体２に沿う水平方向長さ）大きさに形成された複数の足場ユニット３１を水平方向に並べて連結することで環状とされる。
【００２３】
各足場ユニット３１は、躯体２に係止するための係止具３２を複数有しており、この係止具３２を躯体２に係止することで固定され、躯体２に荷重伝達することができる。連層足場３０は、躯体工事および外装工事の進捗に合わせて迫り上げながら使用される。建設現場には躯体工事などのためにタワークレーン３５が設置されており、このタワークレーン３５を用いて連層足場３０は足場ユニット３１ごとに順次上方へスライド移動される。連層足場３０を上方へ移動する際には、タワークレーン３５により足場ユニット３１を懸吊した状態で係止具３２による躯体２への係止を解除し、足場ユニット３１を建物１の１階層分上方へ吊り上げた後に再度係止具３２を躯体２に係止して固定する。そして、全ての足場ユニット３１について上記手順を繰り返して足場ユニット３１を互いに連結することで、建物１の外周を取り囲む一体の連層足場３０の迫り上げが完了する。
【００２４】
次に、図３〜図８を参照して建物１の構築手順について概要を説明する。まず、図３に示すように、杭４やフーチング５、基礎梁６などからなる基礎３を構築した後、タワークレーン３５を設置する。タワークレーン３５は、建物１の内部にスラブを貫通して設置される内部建てであってもよく、建物１の外部に設置する外部建てであってもよい。また、タワークレーン３５は、躯体工事の進捗に合わせてクレーン本体３６がクレーンマスト３７（ポスト）に沿って上昇してゆくものであってもよく、躯体工事の進捗に合わせてクレーンベースも盛り替えて上昇させるものであってもよい。
【００２５】
次に、図４に示すように、建物１の外周を取り囲むように連層足場３０を組立てる。この段階では躯体２が構築されていないため、連層足場３０は躯体２ではなく地盤Ｇに支持されて自立した状態である。連層足場３０の組立は、先に設置したタワークレーン３５を用いて行ってもよく、タワークレーン３５を用いずに行ってもよい。
【００２６】
躯体２が下層階から順に構築されると、図５に示すように連層足場３０は、タワークレーン３５により１階層ずつ迫り上げられる。この際、上記したように連層足場３０は足場ユニット３１ごとに係止具３２による躯体２への係止解除、上昇（タワークレーン３５による吊り上げ）、係止具３２による躯体２への係止が行われる。連層足場３０では、上層部で躯体工事が行われ、下層部で外装工事が行われる。この手順を繰り返すことで、連層足場３０は図６に示すように建物１の最上層部にまで移動する。
【００２７】
図６に示した状態では、躯体工事が完了しており、建物１の屋上１ａに設置する機器類や配管材などの屋上１ａへの搬入も順次行い、連層足場３０の撤去作業以外のタワークレーン３５による揚重作業を完了させる。その後、タワークレーン３５の解体作業を開始する。
【００２８】
一方、連層足場３０を用いた外装工事の終了に合わせ、図７に示すように、建物１の屋上１ａに本発明に係る揚重装置１０を設置する。なお、揚重装置の屋上１ａへの搬入は、タワークレーン３５が残存している場合にはタワークレーン３５を用いて行ってもよく、後述する搬出作業と同様に、建物１に本設として設けられたエレベータを用いて行ってもよい。外装工事の完了後、この揚重装置１０を用いて連層足場３０を下方へ移動させて解体する。
【００２９】
具体的には、下降させる足場ユニット３１の正面に揚重装置１０を位置させ、必要に応じて下降時のガイド手段として単管パイプなどを足場ユニット３１に設置する。次に、揚重装置１０により足場ユニット３１を懸吊した状態で躯体２に対する係止具３２を解除し、足場ユニット３１の下降に合わせて所定の階層に作業員を配置し、建物１に干渉しないように作業員が足場ユニット３１を介錯しつつ下層階へ吊り下ろす。この際、ガイドパイプなどを足場ユニット３１から下方へ突出する態様で設置していた場合には、ガイドパイプが地盤Ｇに当たる前に取り外す。
【００３０】
そして、図８に示すように、地上（地盤Ｇ上）に配置しておいた移動式クレーン３８に足場ユニット３１を吊り替えて解体ヤードへと移動し、解体ヤードにて足場ユニット３１を解体する。
【００３１】
１つの足場ユニット３１の吊り下ろしが終了した後、屋上１ａにて揚重装置１０を移動し、各足場ユニット３１についてこの作業を繰り返し行うことで、建物１の最上層部に設置された連層足場３０の下降をタワークレーン３５を用いることなく行うことができる。なお、足場ユニット３１を下方へ移動させる際には、躯体２に着脱自在に固定される揚重装置１０のブラケット１１を複数用意しておき、そのうちの１つに揚重装置１０の本体部１７を連結して足場ユニット３１を下方へ移動させる間に、他の足場ユニット３１を下方へ移動させる準備として、他のブラケット１１を躯体２に固定するようにするとよい。
【００３２】
ここで、揚重装置１０の本体部１７は後述するように車輪１９を備えた移動式となっているため、建物１の屋上１ａにおける足場ユニット３１間の本体部１７の移動はクレーンなどを用いなくとも人力で容易に行うことができる。また、揚重装置１０は後述するように分割（解体）可能な構成とされているため、連層足場３０の吊り下ろし作業後、分割した揚重装置１０を本設のエレベータにより地上階に下ろして建物１の外部へ搬出可能である。
【００３３】
このように、連層足場３０を上方へ移動させる際にはタワークレーン３５を用いるが、外装工事を終了した後に足場ユニット３１を下方へ移動させる際にはタワークレーン３５を用いることなく揚重装置１０を用いれば済むため、外装工事の終了および連層足場３０の下方への移動を待つことなくタワークレーン３５の解体作業を開始することができる。また、外装工事終了後に足場ユニット３１を下方へ移動させる作業も揚重装置１０により容易に行うことができる。
【００３４】
また、揚重装置１０により下方へ移動させた足場ユニット３１を、地上に設置した移動式クレーン３８によって揚重して解体ヤードへ移動させた後に解体することにより、連層足場３０の解体作業期間にわたって建物１の外周を作業エリアとする必要がないため、建物１の入口が閉鎖されて内装作業など他の作業が行えないような状態が継続することを防止できる。また、建物１周辺の外溝工事も早期に開始できるため、工程の短縮を図ることがでできる。
【００３５】
さらに、揚重装置１０のブラケット１１を複数用意しておくことにより、１つの足場ユニット３１の吊り下ろし作業中に、後に下ろす足場ユニット３１に対するブラケット１１の躯体２への固定作業を行うことができ、作業時間の短縮を図ることができる。
【００３６】
次に、揚重装置１０について図９および図１０を参照しながら詳細に説明する。揚重装置１０は、先端近傍に滑車１２を有するブラケット１１と、ブラケット１１の基端側に脱着可能に連結される本体部１７とを備えており、建物１の屋上階のスラブＳ上に設置される。本体部１７は、車輪１９を有する移動式の本体架台１８と、本体架台１８に載置されるウェイト２０と、本体架台１８に取り付けられる電動エンドレスウィンチ２１とを備える。
【００３７】
なお、建物１の屋上階のスラブＳ上面には、建物１の周縁に沿って梁７が上方へ突出しており、この梁７に対して揚重装置１０が固定される。梁７には、その内面の上端部に建物１内側へ向けて突出する内側突部７ａが形成されている。
【００３８】
ブラケット１１は、それぞれ鋼材からなる上弦部材１１ａと下弦部材１１ｂとを連結部材１１ｃで連結した枠状を呈している。上弦部材１１ａの先端部には滑車１２が取り付けられている。下弦部材１１ｂには、下方へ突出する矩形状の突出部１１ｄが先端部に設けられるとともに、下方へ突出するＬ字形部材１３が基端部側にスライド可能に設けられている。Ｌ字形部材１３には、スライド筒部分に固定用のボルト１４が設けられるとともに、梁７の内側突部７ａの内面および下面に対峙する位置にそれぞれねじ式ジャッキ１５・１６が設けられている。
【００３９】
ブラケット１１は、突出部１１ｄを躯体２の外周面２ｏからさらに外方へ突出させ且つ下弦部材１１ｂを梁７の上面に当接させた状態で、Ｌ字形部材１３を先端側へスライドさせてボルト１４で固定し、突出部１１ｄとＬ字形部材１３とにより梁７の外面および内面を挟持することで、梁７に着脱自在に固定できるようになっている。また、Ｌ字形部材１３を固定した後、両ねじ式ジャッキ１５・１６を突っ張ることで、より確実にブラケット１１を梁７に固定することができる。なお、本実施形態では、ブラケット１１を梁７に固定しているが、パラペットや手摺壁、庇などの躯体２部分に固定してもよい。
【００４０】
本体架台１８は、直方体枠状を呈し、ワイヤ巻き取り器２２をその内部先端側に、ウェイト載置部２３をその内部後端側にそれぞれ有している。ワイヤ巻き取り器２２は、建物１の高さと程同じ長さのワイヤ２７を巻き取れるようになっている。ウェイト載置部２３には、複数に分割された所定重量のウェイト２０が載置される。
【００４１】
電動エンドレスウィンチ２１は本体架台１８の上面に設置され、ボルト・ナット２６により本体架台１８に固定されるとともに、その後端部が本体架台１８の後端上部に控えワイヤ４１により連結されている。
【００４２】
本体架台１８は、前後左右に４つの車輪１９を有しており、ワイヤ巻き取り器２２、ウェイト２０および電動エンドレスウィンチ２１を載置した状態で建物１の屋上１ａを移動することができ、躯体２に固定されたブラケット１１の基端にボルト・ナット２５により連結される。また、本体架台１８の車輪１９近傍には、４つのアジャスターボルト２４が設けられており、アジャスターボルト２４を回転させて下方へ突出させることで、車輪１９を浮かせて本体架台１８を安定的に屋上階のスラブＳ上に設置することができる。アジャスターボルト２４の設置は、ウェイト２０が載置された本体架台１８の屋上面に対する摩擦抵抗（水平力に対するすべり耐力）を高める意義もある。なお、揚重装置１０の落下防止のために、本体架台１８の後端部を控えワイヤ４２により躯体２の一部に連結するとよい。
【００４３】
ワイヤ巻き取り器２２に巻かれたワイヤ２７は、電動エンドレスウィンチ２１を通した後に滑車１２を通して垂下され、先端に連結されたリング２８に掛止された荷役を懸吊するとともに、電動エンドレスウィンチ２１により巻き上げ・送り出しがなされ、荷役（足場ユニット３１）を上げ下げする。なお、ワイヤ２７とその先端のリング２８との間にはスイベル２９が介設されており、ワイヤ２７に加わる荷重の変動によってリング２８（足場ユニット３１）が回転しないようになっている。
【００４４】
このように、ブラケット１１と本体部１７とが脱着可能であり、且つウェイト２０も分割可能であるため、建物１に設置した本設のエレベータによる運搬が可能であり、容易に建物１の屋上１ａに揚重装置１０を設置・撤去することができる。そのため、連層足場３０の吊り下ろしを待つことなくタワークレーン３５の解体作業を開始することができる。また、本体架台１８が移動用の車輪１９を備えるため、ウェイト２０を載置した状態でも本体架台１８の移動が容易であり、複数の足場ユニット３１を吊り下ろすために建物１の屋上１ａで揚重装置１０を盛り替える作業も容易である。さらに、図１１に示すように、躯体２の形状や建物１の屋上１ａに設定される配管設備８等の位置を考慮して形状の異なる複数のブラケット１１を用意すれば、揚重装置１０の設置可能領域が制限されることがなく、建物１の全周への適用や様々な建物への転用も可能である。
【００４５】
また、ブラケット１１を躯体２に着脱自在に固定するＬ字形部材１３を更に備えることにより、取り扱いの容易なブラケット１１を予め躯体２に固定し、ウェイト２０を積んだ本体部１７は、ブラケット１１に連結することで容易に位置決めを行うことができる。また、ブラケット１１を複数用意すれば、１つの足場ユニット３１の吊り下ろし作業中に、後に下ろす足場ユニット３１に対するブラケット１１の固定作業を行うことができ、作業時間の短縮を図ることができる。一方、ブラケット１１の形状を異なるものとすれば、建物１の屋上１ａに設置される機器類の基礎や配管設備８などとの干渉を避けて揚重装置１０を設置することができる。
【００４６】
以上で具体的実施形態についての説明を終えるが、本発明はこれらの実施形態に限定されるものではなく、本発明の趣旨を逸脱しない範囲であれば適宜変更可能である。例えば、上記実施形態では、揚重装置１０を１基だけ用意して足場ユニット３１を吊り下ろしているが、揚重装置１０を２基用意し、２基の揚重装置１０で足場ユニット３１を共吊りしてもよい。このような場合、または足場ユニット３１が比較的軽量な場合には、複数の足場ユニット３１を連結した状態で吊り下ろしてもよい。また、上記実施形態に示した本発明に係る建物１の構築方法および揚重装置１０の各構成要素は、必ずしも全てが必須ではなく、少なくとも本発明の趣旨を逸脱しない限りにおいて適宜取捨選択することが可能である。
【符号の説明】
【００４７】
１      建物（複層建物）
１ａ    屋上
２      躯体
７      梁（躯体）
１０    揚重装置
１１    ブラケット
１２    滑車
１３    Ｌ字形部材（固定手段）
１７    本体部
１８    本体架台
１９    車輪
２０    ウェイト
２１    電動エンドレスウィンチ
２７    ワイヤ
３０    連層足場
３１    足場ユニット
３５    タワークレーン
３８    移動式クレーン
【図１】
0005773343.tif 000002
【図２】
0005773343.tif 000003
【図３】
0005773343.tif 000004
【図４】
0005773343.tif 000005
【図５】
0005773343.tif 000006
【図６】
0005773343.tif 000007
【図７】
0005773343.tif 000008
【図８】
0005773343.tif 000009
【図９】
0005773343.tif 000010
【図１０】
0005773343.tif 000011
【図１１】
0005773343.tif 000012